(57)【要約】【課題】  構造簡単で信頼性及び輸送性が優れ、かつコストが安価な移動式木材破砕機を提供する。【解決手段】  移動式木材破砕機(1)は基台(3)の後端部に木材破砕機(4)を搭載している。木材破砕機(4)は基台(3)の長手方向中心線Ｘ−Ｘ上に、回転軸(15)の軸線を配置した破砕機(10)と、破砕機(10)の上方に、木材を回転させつつ破砕機(10)に供給する回転自在な回転タブ(11)とを有する。回転タブ(11)の上方に、投入した木材を回転タブ(11)に導くホッパ(20)を水平に対して傾斜して設け、３個の支柱(12,13,14)を介して基台(3)に固定する。ホッパ(20)の上面中心Ａは基台(3)の中心線Ｘ−Ｘ上に位置し、回転タブ(11)の回転中心Ｇは中心線Ｘ−Ｘから距離Ｎだけ基台(3)の幅方向にオフセットして位置する。【選択図】        図２
2005087919.tif 000002
【特許請求の範囲】
【請求項１】
移動式木材破砕機において、
下部に走行装置(2)を備えた基台(3)に設置された破砕機(10)と、
該破砕機(10)の上方に向けて、回転自在に設けられ、収納した被破砕木材を回転させつつ前記破砕機(10)に供給する略円筒状の回転タブ(11)と、
該回転タブ(11)の上方に、水平に対して傾斜させて設けられて前記基台(3)に固定された、外部から投入された被破砕木材を前記回転タブ(11)に導くホッパ(20)と、
前記破砕機(10)の下方に配置され、破砕された木片を搬出する排出コンベヤ(6)とを備え、
平面視で、前記ホッパ(20)上面の中心は前記基台(3)の長手方向の略中心線上に位置され、
前記回転タブ(11)の回転中心は前記中心線に対して幅方向にオフセットして位置された
ことを特徴とする移動式木材破砕機。
【請求項２】
請求項１記載の移動式木材破砕機において、
前記ホッパ(20)は前記回転タブ(11)の上部開口部を覆う円筒部(22)を有し、前記回転タブ(11)の回転中心線と、前記ホッパ(20)の円筒部(22)の軸中心線とを交差させた
ことを特徴とする移動式木材破砕機。
【請求項３】
請求項１又は請求項２に記載の移動式木材破砕機において、
前記破砕機(10)の回転軸(15)の軸線を、平面視で前記基台(3)の長手方向の略中心線上に配置した
ことを特徴とする移動式木材破砕機。
【発明の詳細な説明】
【技術分野】
【０００１】
本発明は、木材を破砕して処理する移動式木材破砕機に関する。
【背景技術】
【０００２】
従来、移動式木材破砕機については例えば特許文献１に記載された木材破砕機が知られている。図６は、上記特許文献１に記載された木材破砕機の側面図である。図６において、木材破砕機５０は、下部に走行装置５１を有する基台５２を備え、該基台５２の後部にエンジンルーム５３が搭載され、基台５２の略中央部には破砕機５４が搭載されている。基台５２の前部で、破砕機５４の上方には、回転タブ５５が略垂直軸回りに回動自在に設けられている。また回転タブ５５の上部開口部の上方には、ホッパ６０が傾動自在に設けられている。すなわち、ホッパ６０の前端部は、基台５２に取付けられた支柱６１にピン６２により揺動自在に連結され、ホッパ６０の後端部と基台５２とは、上下方向に伸縮する油圧シリンダ６３により連結されている。ホッパ６０の上面開口部の後部側には、該開口部の一部を覆う飛散防止カバー６４が設けられており、破砕機５４で破砕された木片が回転タブ５５の周囲に飛散することを防止している。
【０００３】
木材破砕作業時には図６の実線で示すように、油圧シリンダ６３を伸長し、ホッパ６０は角度θだけ後端部を高く傾斜させて外部からの被破砕木材の積込性を向上している。輸送時には前記油圧シリンダ６３を縮小し、２点鎖線で示すようにホッパ６０の上面を水平にし、車両の全高Ｐを輸送制限内に納まるようにして輸送性の向上を図るとしている。
【０００４】
また、例えば非特許文献１には、他の例の自走式木材破砕機が記載されている。図７は上記自走式木材破砕機７０の側面図であり、図８はその平面図である。なお、図６に示した木材破砕機５０と同一の構成部材には同一符号を付して、以下での説明は省略し、異なる部分についてのみ説明する。図７、図８において、破砕機５４の回転軸５６の軸線及び回転タブ５５の回転中心Ｇは、平面視で基台５２の長手方向中心線Ｘ−Ｘ上に位置している。ホッパ６０は傾動自在に設けられており、破砕作業時には基台５２の長手方向中心線Ｘ−Ｘに対して角度αだけ旋回させた位置で、図６に示した角度θだけ傾けられている。飛散防止カバー６４は前記中心線Ｘ−Ｘに対して角度αだけ傾いた直線Ｒ−Ｒ上の、ホッパ６０の上面の高い側にある。前記角度αは例えば４５°であり、最も木片飛散防止効果の大きい角度に定められている。
【０００５】
破砕作業時にはホッパ６０は角度θだけ傾斜しているため、図８に示すように、ホッパ６０の上面の中心Ａは、線Ｒ−Ｒ上で、かつ基台５２の長手方向中心線Ｘ−Ｘからずれた位置にあり、ホッパ６０は実線で示すように基台５２の外幅Ｓよりも長さＴだけはみ出している。図８に示すように、ホッパ６０を傾動させて上面を水平にすると、２点鎖線で示すようにホッパ６０の中心Ａは前記長手方向中心線Ｘ−Ｘ上に移動し、ホッパ６０の外径は基台５２の外幅Ｓ内に収まる。また、図７の２点差線で示すように、ホッパ６０の上面までの地上高さはＰとなり、輸送性を向上できるとしている。
【０００６】
【特許文献１】特開２００１−９３１８号公報（第４頁、第１図）
【非特許文献１】「コマツ自走式木材破砕機カタログ、ＢＲ２００Ｔ  ＲＥＦＯＲＥ」、２００１年１０月
【発明の開示】
【発明が解決しようとする課題】
【０００７】
しかしながら、上記従来の構成においては、ホッパ６０の傾動装置（油圧シリンダ６３、支柱６１、ピン６２）が必要であり、また作業時と輸送時とでホッパ６０の傾きを変更する必要があるため、その操作が煩雑になり、また構造が複雑で損傷する恐れのある部材が多く、コストも高くなってしまう。
【０００８】
本発明は上記の問題点に着目してなされたもので、構造が簡単で操作が容易であり、信頼性及び輸送性が優れ、かつコストが安価な移動式木材破砕機を提供することを目的とする。
【課題を解決するための手段】
【０００９】
上記目的を達成するために、第１発明は、移動式木材破砕機において、下部に走行装置を備えた基台に設置された破砕機と、該破砕機の上方に向けて、回転自在に設けられ、収納した被破砕木材を回転させつつ前記破砕機に供給する略円筒状の回転タブと、該回転タブの上方に、水平に対して傾斜させて設けられて前記基台に固定された、外部から投入された被破砕木材を前記回転タブに導くホッパと、前記破砕機の下方に配置され、破砕された木片を搬出する排出コンベヤとを備え、平面視で、前記ホッパ上面の中心は前記基台の長手方向の略中心線上に位置され、前記回転タブの回転中心は前記中心線に対して幅方向にオフセットして位置された構成としている。
【００１０】
第２発明は、第１発明において、前記ホッパは前記回転タブの上部開口部を覆う円筒部を有し、前記回転タブの回転中心線と、前記ホッパの円筒部の軸中心線とを交差させた構成としている。
【００１１】
第３発明は、第１発明、又は第２発明において、前記破砕機の回転軸の軸線を、平面視で前記基台の長手方向の略中心線上に配置した構成としている。
【発明の効果】
【００１２】
第１発明によると、ホッパ上面の中心は基台の長手方向の略中心線上に位置しているためホッパの両外幅を基台の最大外幅（すなわち輸送制限幅）まで広げ、かつ最大外幅内に収めることができる。そのため、ホッパの積込みエリアが大きく、積込性が良く、従来のもののように輸送時にホッパを傾動させて基台の最大外幅内に収める必要が無く、ホッパの傾動装置が不要なため構造が簡単で特別な操作が不要であり、軽量、安価で、輸送性、信頼性及び耐久性を向上できる。又、回転タブの回転中心を基台の長手方向の中心線から幅方向にオフセットさせたため、傾斜した状態のホッパ下部の径に適合する回転タブの直径を大きくすることができる。そのため、回転タブの処理容量が大きく、処理能力が優れた移動式木材破砕機を得ることができる。
【００１３】
第２発明によると、回転タブの回転中心線と、ホッパの円筒部の軸中心線とを交差させた。そのため、傾斜したホッパの円筒部と前記の交差させた点を含む水平面との交線で形成される楕円の短軸に略内接する円を回転タブの直径とすることにより、回転タブの直径を最大化することができる。したがって、回転タブの処理容量を最大にすることができ、性能向上が図れる。
【００１４】
第３発明によると、破砕機の回転軸線を平面視で基台の長手方向の略中心線上に配置したため、排出コンベヤを基台の幅方向の略中心に配置することができる。したがって、排出コンベヤの幅を基台が備えた走行装置の内幅内において最大にすることができ、排出がスムーズにできて搬送能力を最大にすることができる。そのため、回転タブの処理容量の最大化とあいまって移動式木材破砕機に最大能力を発揮させることができる。また、重量のある破砕機を基台の幅方向中心に配置したので、車両全体としての左右重量バランスをとり易くなる。
【発明を実施するための最良の形態】
【００１５】
以下、本発明に係る移動式木材破砕機の実施形態について図面を参照して詳細に説明する。
【００１６】
図１は実施形態を表す移動式木材破砕機の側面図であり、図２はその平面図である。図１、図２において、移動式木材破砕機１は、下部に左右一対の履帯式の走行装置２，２を有する基台３を備え、基台３の長手方向一方側（以後、後部と呼ぶ。）には木材破砕機４が搭載され、基台３の長手方向他方側（以後、前部と呼ぶ。）にはエンジン等を収納する動力室５が設けられている。木材破砕機４は、平面視で基台３の長手方向中心線Ｘ−Ｘ上に配置された略水平な回転軸１５を有する破砕機１０と、該破砕機１０の上方の基台３上に略垂直軸回りに回転自在に搭載され、内部に収納した被破砕木材を回転させつつ前記破砕機１０に供給する略円筒状の回転タブ１１とを備えている。又、破砕機１０の下方には、破砕された木片を動力室５下方まで基台３の長手方向に搬送する排出コンベヤ６を備え、さらに該排出コンベヤ６の前端部は、基台３の前端部に設けられ、かつ木片を機外に搬出する搬出コンベヤ７に接続している。
【００１７】
回転タブ１１の上方には、外部から投入された被破砕木材を回転タブ１１に導くホッパ２０が水平に対して傾斜して設けられており、ホッパ２０は３個の支柱１２，１３，１４を介して基台３に固定されている。ホッパ２０は略漏斗状の円錐部２１と、該円錐部２１の下部に連接する円筒部２２とを有し、前記円錐部２１の上面中心Ａは基台３の前後方向中心線Ｘ−Ｘ上に位置している。
【００１８】
前記円錐部２１の開口部には、前記上面中心Ａを通り、かつ平面視で基台３の長手方向中心線Ｘ−Ｘに対して角度αだけ傾いた直線Ｃ−Ｃの方向の一側に、破砕された木片の飛散を防止する飛散防止カバー２３が開閉自在に取付けられており、直線Ｃ−Ｃの方向の他側には開口部２４が設けられている。ホッパ２０は飛散防止カバー２３側を高くして後述の所定角度βだけ水平に対して傾斜しており、図示しない積込機による被破砕木材の積み込みを容易にすると共に、前記飛散防止カバー２３上に投入された被破砕木材が開口部２４から回転タブ２０内に落下し易いようになっている。
【００１９】
ホッパ２０の円錐部２１の外径は、基台３の全幅Ｂ内（すなわち輸送制限内）に収められている。また、回転タブ１１の回転中心Ｇは、基台３の長手方向中心線Ｘ−Ｘから距離Ｎだけ基台３の幅方向にオフセットしている。
【００２０】
図３は図２の直線Ｃ−Ｃにおける矢視図であり、回転タブ１１とホッパ２０との位置関係を示す説明図である。図３において、ホッパ２０は前述のように円錐部２１と円筒部２２とを有し、ホッパ２０の円筒部２２の軸中心線Ｄ−Ｄはホッパ２０の上面中心Ａを通る垂線Ｅ−Ｅに対して所定角度βだけ傾斜している。ホッパ２０の前記軸中心線Ｄ−Ｄと回転タブ１１の回転中心線Ｆ−Ｆとは回転中心点Ｇで交差しており、前記垂線Ｅ−Ｅと回転中心線Ｆ−Ｆとは距離Ｍだけ離れている。
【００２１】
図４は図３のタブ回転中心点Ｇを通る水平面Ｈ−Ｈにおける矢視図であり、ホッパ２０と回転タブ１１の直径との関係を示す説明図である。図４において、回転タブ１１の回転中心点Ｇは、基台３の長手方向中心線Ｘ−Ｘから基台３の幅方向にＭ×sinα＝Ｎだけオフセットしている。水平面Ｈ−Ｈと前記円筒部２２との交線は、長径ａ、短径ｂの楕円Ｊを形成する。回転タブ１１の外径Ｋは、前記楕円Ｊの短径ｂに略内接する寸法に定められる。これにより、図４に示すように、回転タブ１１の外径Ｋは楕円Ｊに内接する最大の円であり、回転タブ１１の回転中心を基台３の長手方向中心線Ｘ−Ｘ上にある点Ａとした、破線で示す従来のタブの外径Ｌに比べて大きくすることができる。
【００２２】
図５は、移動式木材破砕機１の前面一部断面図である。図５において、前述のように破砕機１０の回転中心は、基台３の長手方向中心線Ｘ−Ｘを通る車体中心線Ｙ−Ｙ上にある。したがって、排出コンベヤ６の幅方向中心も車体中心線Ｙ−Ｙ上に配置できる。そのため、排出コンベヤ６の幅Ｗは、走行装置２，２と基台３とを結合する左右一対のフレーム８，８の間隔Ｖに納まる最大幅にすることができる。
【産業上の利用可能性】
【００２３】
本発明の木材破砕機は、例えば履帯式の自走式木材破砕機に適用したもので説明したが、木材破砕装置の移動形式は車輪式でもよく、また、自走式以外に被牽引式等でもよい。
【図面の簡単な説明】
【００２４】
【図１】本発明に係る移動式木材破砕機の側面図である。
【図２】本発明に係る移動式木材破砕機の平面図である。
【図３】図２のＣ−Ｃ矢視図である。
【図４】図３のＨ−Ｈ矢視図である。
【図５】本発明に係る移動式木材破砕機の正面一部断面図である。
【図６】従来の木材破砕機の側面図である。
【図７】従来の自走式木材破砕機の側面図である。
【図８】従来の自走式木材破砕機の平面図である。
【符号の説明】
【００２５】
１…移動式木材破砕機、２…走行装置、３…基台、４…木材破砕機、６…排出コンベヤ、８…フレーム、１０…破砕機、１１…回転タブ、１２，１３，１４…支柱、１５…回転軸、２０…ホッパ、２１…円錐部、２２…円筒部、２３…飛散防止カバー、２４…開口部。
【図１】
2005087919.tif 000003
【図２】
2005087919.tif 000004
【図３】
2005087919.tif 000005
【図４】
2005087919.tif 000006
【図５】
2005087919.tif 000007
【図６】
2005087919.tif 000008
【図７】
2005087919.tif 000009
【図８】
2005087919.tif 000010